(57)【特許請求の範囲】
【請求項１】
内外周面が平滑とされて、管壁（２）の内部に補強芯（３）が螺旋状に等ピッチで埋め込まれた管材（１）の端部に取り付ける管端継手（１０）であって、前記管材（１）の端部に内嵌して、他の継手に接続するための継手本体（１１）と、前記管材（１）の端部に外嵌する弾性パッキン（１２）と、この弾性パッキン（１２）を外側から締め付けて、弾性パッキン（１２）の内周面を前記管材（１）の端部外周面に押し付けることで、前記管材（１）の端部を前記継手本体（１１）に圧接させる締付部材（１３）とを備え、前記弾性パッキン（１２）の内周面に、前記管材（１）の端部外周面に食い込ませるための抜け止め用リブ（２２）（２２）を突設して、この抜け止め用リブ（２２）（２２）を、前記補強芯（３）の螺旋と同じリード長を有し、且つ、前記補強芯（３）よりも条数の多い多条ネジ状に形成してあることを特徴とする管端継手。
【請求項２】
前記締付部材（１３）は、前記管材（１）の端部を外側から挟み込むように組み付ける一対の半割外装体（３０Ａ）（３０Ｂ）を備え、これら一対の半割外装体（３０Ａ）（３０Ｂ）に、その外周面と内周面とに跨る貫通孔（３７）（３８）をそれぞれ形成し、前記弾性パッキン（１２）は、前記一対の半割外装体（３０Ａ）（３０Ｂ）の内周面側にそれぞれ装着可能とされ、前記管材（１）の端部外周面を半周ずつ覆う一対の半割パッキン材（１２Ａ）（１２Ａ）からなり、これら一対の半割パッキン材（１２Ａ）（１２Ａ）の外周面に、前記半割外装体（３０Ａ）（３０Ｂ）への装着時に前記貫通孔（３７）（３８）に挿着する突起（２０）（２１）をそれぞれ形成してある請求項１記載の管端継手。
【請求項３】
前記補強芯（３）が１条であって、前記弾性パッキン（１２）の抜け止め用リブ（２２）（２２）を２条ネジ状に形成してある請求項２記載の管端継手。
【請求項４】
前記一対の半割パッキン材（１２Ａ）（１２Ａ）を同一形状とし、且つ、前記一対の半割外装体（３０Ａ）（３０Ｂ）を同一形状とした請求項３記載の管端継手。
【発明の詳細な説明】
【技術分野】
【０００１】
この発明は、例えば給排水用、食品輸送用、薬品輸送用、ガソリン輸送用のホースやパイプ等の各種流体を輸送するための管材の端部に取り付けて、他の管材や各種機器等における継手との連結に使用する管端継手に関する。
【背景技術】
【０００２】
従来、この種の管端継手としては、例えば特許文献１及び２にも開示されているように、管材の端部に内嵌するニップルと、管材の端部に外嵌する弾性パッキンと、この弾性パッキンを外側から締め付けて、弾性パッキンの内周面を管材の端部外周面に押し付けることで、管材の端部をニップルに圧接させるホルダーとを備えたものが知られている。
【先行技術文献】
【特許文献】
【０００３】
【特許文献１】特開２００６−３８１９２号公報
【特許文献２】特開２０１１−８９５７５号公報
【発明の概要】
【発明が解決しようとする課題】
【０００４】
各種流体を輸送するための管材としては、軟質合成樹脂製の管壁を硬質合成樹脂製の補強芯によって補強することで、可撓性及び耐圧性を高めるようにした構造のものが多く使用されている。具体的には、管壁の外周側に補強芯が螺旋状に巻回されて、外周面が凹凸状で内周面が平滑（フラット）に形成されたもの（特許文献１の図６参照）、或いは、管壁の内部に補強芯が螺旋状に埋め込まれて、内外周面が平滑（フラット）に形成されたもの（特許文献１の図７、特許文献２の図２参照）が使用されている。
【０００５】
外周面が凹凸状で内周面が平滑（フラット）に形成された管材の端部に、上記のような管端継手を取り付ける場合には、弾性パッキンの内周面を管材の端部外周面に押し付けた際に、弾性パッキンの内周面に管材の外周面の凸部が食い込んだ状態となり、押し付け力と同時にアンカー効果も生じることになって、管材の軸方向の抜けを確実に防止することができる。
【０００６】
ところが、内外周面が平滑（フラット）に形成された管材の端部に、上記のような管端継手を取り付ける場合には、弾性パッキンの内周面を管材の端部外周面に押し付けた際に、弾性パッキンの内周面が管材のフラットな外周面に当接するだけであって、押し付け力のみで管材の軸方向の抜けを阻止することになる。このため、不慮の故障等によって管材内に高い圧力がかかると、管材が軸方向にずれ動いたり、抜けてしまう可能性があり、安全性を確保し難いといった不具合があった。
【０００７】
そこで、弾性パッキンの内周面に、例えば環状又は螺旋状の抜け止め用リブを突設して、弾性パッキンの内周面を管材の端部外周面に押し付けた際に、抜け止め用リブを変形させながら管材の平滑（フラット）な外周面に食い込ませて、アンカー効果を持たせるといった対策が考えられる。しかしながら、管壁の内部に補強芯を螺旋状に埋め込んだ管材においては、螺旋状の硬質部（補強芯がある部位）と螺旋状の軟質部（補強芯がない部位）とが軸方向に交互に存在しており、以下のような不具合が生じてしまう。
【０００８】
すなわち、環状の抜け止め用リブの場合には、抜け止め用リブが管材の硬質部及び軟質部と交錯した状態となって、硬質部及び軟質部の双方を押さえることになり、抜け止め用リブを管材の全周に亘って均一に食い込ませることができず、十分なアンカー効果が期待できないといった不具合がある。
【０００９】
一方、螺旋状の抜け止め用リブの場合には、管材の軟質部と同じピッチにして軟質部に沿わせることで、軟質部のみを押さえることが可能となり、抜け止め用リブを管材の全周に亘って均一に食い込ませて、十分なアンカー効果を期待することができる。ところが、組付精度に僅かでも誤差が生じると（管材に対する弾性パッキンの取付位置が軸方向に僅かでもずれると）、管材の硬質部のみを押さえてしまって、アンカー効果が期待できなくなる可能性もあり、信頼性に乏しいといった不具合がある。
【００１０】
また、ホルダーの一部を管材の端部外周面に食い込ませることで、アンカー効果を持たせるといった対策も考えられるが、この場合、管材の端部外周面が傷付き易くなってしまう。特に、洗浄や消毒等のメンテナンスに伴って管端継手の分解組付を繰り返し行うと、管材の損傷が激しくなって、アンカー効果が期待できなくなるとともに、製品寿命も短くなるといった不具合がある。
【００１１】
この発明は、上記の不具合を解消して、内外周面が平滑（フラット）とされて、管壁内部に補強芯が螺旋状に埋め込まれた管材の端部に取り付ける管端継手において、管材の軸方向のずれ動きや抜けを確実に防止して、安全性の向上を図ることを目的とする。
【課題を解決するための手段】
【００１２】
この発明の管端継手１０は、内外周面が平滑とされて、管壁２の内部に補強芯３が螺旋状に等ピッチで埋め込まれた管材１の端部に取り付けるものであって、前記管材１の端部に内嵌して、他の継手に接続するための継手本体１１と、前記管材１の端部に外嵌する弾性パッキン１２と、この弾性パッキン１２を外側から締め付けて、弾性パッキン１２の内周面を前記管材１の端部外周面に押し付けることで、前記管材１の端部を前記継手本体１１に圧接させる締付部材１３とを備え、前記弾性パッキン１２の内周面に、前記管材１の端部外周面に食い込ませるための抜け止め用リブ２２、２２を突設して、この抜け止め用リブ２２、２２を、前記補強芯３の螺旋と同じリード長を有し、且つ、前記補強芯３よりも条数の多い多条ネジ状に形成してあることを特徴とする。
【００１３】
具体的には、前記締付部材１３は、前記管材１の端部を外側から挟み込むように組み付ける一対の半割外装体３０Ａ、３０Ｂを備え、これら一対の半割外装体３０Ａ、３０Ｂに、その外周面と内周面とに跨る貫通孔３７、３８をそれぞれ形成し、前記弾性パッキン１２は、前記一対の半割外装体３０Ａ、３０Ｂの内周面側にそれぞれ装着可能とされ、前記管材１の端部外周面を半周ずつ覆う一対の半割パッキン材１２Ａ、１２Ａからなり、これら一対の半割パッキン材１２Ａ、１２Ａの外周面に、前記半割外装体３０Ａ、３０Ｂへの装着時に前記貫通孔３７、３８に挿着する突起２０、２１をそれぞれ形成してある。
【００１４】
また、前記補強芯３が１条であって、前記弾性パッキン１２の抜け止め用リブ２２、２２を２条ネジ状に形成してある。そして、前記一対の半割パッキン材１２Ａ、１２Ａを同一形状とし、且つ、前記一対の半割外装体３０Ａ、３０Ｂを同一形状としている。
【発明の効果】
【００１５】
この発明の管端継手では、弾性パッキンの内周面に、管材の補強芯の螺旋と同じリード長を有し、且つ、補強芯よりも条数の多い多条ネジ状の抜け止め用リブを形成してあるので、弾性パッキンの内周面を管材の端部外周面に押し付けたときに、抜け止め用リブの少なくとも１条が、管材の軟質部に沿うように位置して（軸方向に隣接する補強芯間に位置して）、軟質部のみを押さえることになる。このため、抜け止め用リブを管材の全周に亘って均一且つ確実に食い込ませて、十分なアンカー効果を期待することができる。このようなアンカー効果によって、内外周面が平滑な管材でありながら、不慮の故障等によって管材内に高い圧力がかかっても、管材の軸方向のずれ動きや抜けを確実に防止することができ、安全性の向上を図ることができる。
【００１６】
また、一対の半割外装体によって締付部材を構成し、一対の半割パッキン材によって弾性パッキンを構成することで、管端継手をバラバラに分解して、洗浄や消毒といったメンテナンスを支障なく行うことができる。さらに、半割外装体の貫通孔に半割パッキン材の突起を挿着しながら、半割パッキン材を半割外装体の内周面側に装着することで、半割外装体の組み付けに際して、半割パッキン材の位置ずれを防止することができる。しかも、半割外装体の貫通孔を通して半割パッキン材の突起の有無を外部から目視確認することで、半割パッキン材の着け忘れを防止することができる。
【００１７】
さらに、弾性パッキン（一対の半割パッキン材）の抜け止め用リブを２条ネジ状とすることで、一対の半割パッキン材を、それら周方向に沿った端面同士を軸方向にずれないように揃えながら、軸方向に沿った両端部同士を重ね合わせて、内周面同士を対向させたときには、半割パッキン材の軸方向の向きにかかわらず、抜け止め用リブ同士が軸方向にずれることなく螺旋状に連続することになる。従って、半割パッキン材の軸方向の向きに配慮することなく、半割外装体に対して常に正常に装着することができる。このため、経験の乏しい作業者であっても、管端継手の取り付けを確実に行うことができる。
【００１８】
さらにまた、同一形状の半割パッキン材及び同一形状の半割外装体を使用することで、弾性パッキン及び締付部材の製造コストを削減することができる。しかも、上記のように弾性パッキン（一対の半割パッキン材）の抜け止め用リブを２条ネジ状としていれば、半割外装体に対する半割パッキン材の着け間違いがなく、組み付けに支障をきたすこともない。
【図面の簡単な説明】
【００１９】
【図１】この発明の一実施形態に係る管端継手の分解斜視図である。
【図２】管端継手の取付状態を示す斜視図である。
【図３】管端継手の取付状態を示す縦断面図である。
【図４】半割パッキン材を示す図である。
【図５】一対の半割パッキン材を、互いに逆向き状態とした状態を示す図である。
【図６】一対の半割パッキン材を、互いに逆向き状態として内周面同士を対向させた状態を示す図である。
【図７】一方の半割外装体を示す図である。
【図８】他方の半割外装体を示す図である。
【図９】一対の半割外装体の組付状態を示す縦断面図である。
【図１０】半割外装体に対する半割パッキン材の装着状態を示す縦断面図である。
【発明を実施するための形態】
【００２０】
以下、この発明の実施形態を図面に基づいて詳細に説明する。図１乃至図３において、１は、例えば食品輸送用ホースとして使用される管材であって、透明又は半透明な軟質合成樹脂製の管壁２の内部に、硬質合成樹脂製の１条の補強芯３が螺旋状に等ピッチで埋め込まれていて、内外周面が平滑（フラット）な直筒状に形成されている。この管材１においては、図３に示すように、螺旋状の硬質部（補強芯３のある部位）４と螺旋状の軟質部（補強芯３がない部位）５とが軸方向に交互に存在している。
【００２１】
１０は、管材１の端部に取り付けられて、例えば他の管材の端部に取り付けた継手や貯蔵タンク等の各種機器に備え付けの継手（以下、総称して「他の継手」と称する）との連結に使用する管端継手である。この管端継手１０は、管材１の端部に内嵌して、他の継手と接続するための継手本体（ニップル）１１と、管材１の端部に外嵌する弾性パッキン１２と、この弾性パッキン１２を外側から締め付けて、弾性パッキン１２の内周面を管材１の端部外周面に押し付けることで、管材１の端部をニップル１１に圧接させる締付部材（ホルダー）１３とを備えている。
【００２２】
ニップル１１は、例えばステンレス製であって、全体的に略筒状に形成されている。そして、ニップル１１の軸方向の一端側が管材１の端部に内嵌する例えば直筒状の嵌合筒部１５とされ、他端側が他の継手に接続する例えば螺子部付きの接続部１６とされている。また、ニップル１１の嵌合筒部１５と接続部１６との間の中間部分において、管材１の端面に当接する円環状のフランジ部１７が径外方向に張り出した状態で突設されている。
【００２３】
弾性パッキン１２は、図１及び図３、図４に示すように、管材１の端部外周面を半周ずつ覆う一対の同一形状の半割パッキン材１２Ａ、１２Ａからなる。これら一対の半割パッキン材１２Ａ、１２Ａは、例えば合成ゴム製であって、略半筒状に形成されている。そして、それぞれの半割パッキン材１２Ａの外周面には、２個の突起２０、２１が軸方向（図に矢印で示す前後方向）に間隔をあけて突設されている。また、それぞれの半割パッキン材１２Ａの内周面には、管材１の端部外周面に食い込ませるための抜け止め用リブ２２が全周に亘って突設されている。なお、図４において、（ａ）は半割パッキン材の外周面側、（ｂ）は内周面側を示している。
【００２４】
外周面側の突起２０、２１のうち一方の突起２０は、軸方向（前後方向）に長くなっており、他方の突起２１は、軸方向に対して直交する周方向に長くなっている。そして、他方の突起２１の天端面には、弾性パッキン１２の種類を表す識別表示２３が刻設されている。
【００２５】
上述したように、一対の半割パッキン材１２Ａ、１２Ａは、同一形状とされているが、これら半割パッキン材１２Ａ、１２Ａの軸方向（前後方向）の向きを互いに逆向き状態（反転状態）としたときには、図５に示すように、２個の突起２０、２１の配置が前後逆転して互いに異なるようになっている。また、図６に示すように、一対の半割パッキン材１２Ａ、１２Ａを、上記のように軸方向（前後方向）の向きを互いに逆向き状態（反転状態）として、それら周方向に沿った端面同士を軸方向（前後方向）にずれないように揃えながら、軸方向（前後方向）に沿った両端部同士を重ね合わせて、内周面同士を対向させたときには、抜け止め用リブ２２、２２同士が軸方向（前後方向）にずれることなく、螺旋状に連続するようになっている。
【００２６】
螺旋状に連続した抜け止め用リブ２２、２２は、図３及び図６に示すように、管材１の補強芯３の螺旋と同じリード長を有する２条ネジ状に形成されている。すなわち、螺旋状に連続した抜け止め用リブ２２、２２のピッチが、補強芯３のピッチの１／２となっている。
【００２７】
ホルダー１３は、管材１の端部を外側から挟み込むように組み付ける一対の半割外装体３０Ａ、３０Ｂを備えている。一対の半割外装体３０Ａ、３０Ｂは、例えばステンレス製であって、図１及び図７、図８に示すように、後述する貫通孔３７、３８の配置が異なる以外は略同形状とされており、略半筒状の本体部３２と、この本体部３２の軸方向（前後方向）に沿った両端部分から径外方向に張り出した一対の連結部３３、３３とを備えている。なお、図７は、一方の半割外装体３０Ａを示し、（ａ）はその外周面側、（ｂ）はその内周面側を示している。また、図８は、他方の半割外装体３０Ｂを示し、（ａ）はその外周面側、（ｂ）はその内周面側を示している。
【００２８】
本体部３２の内周面には、その周方向に沿って３本の線状突起３４ａ、３４ｂ、３４ｃが互いに平行に形成されている。軸方向（前後方向）の一端側（前端側）の線状突起３４ａの径内方向への突出量は、中間部分の線状突起３４ｂ及び他端側（後端側）の線状突起３４ｃの径内方向への突出量よりも大きく、線状突起３４ｂ、３４ｃの径内方向への突出量は、同じになっている。そして、線状突起３４ｂ、３４ｃ間に形成された大幅の装着溝３５に、半割パッキン材１２Ａが装着可能とされている。また、線状突起３４ａ、３４ｂ間に形成された小幅の嵌合溝３６に、ニップル１１のフランジ部１７が遊嵌するようになっている。
【００２９】
また、本体部３２の装着溝３５部分には、半割パッキン材１２Ａ、１２Ａの突起２０、２１を挿着する２個の貫通孔３７、３８が形成されている。これら貫通孔３７、３８は、本体部３２の外周面と内周面とに跨るようにして、軸方向（前後方向）に間隔をあけて形成されている。貫通孔３７、３８のうち一方の貫通孔３７は、一方の突起２０に対応して軸方向（前後方向）に延びる長孔とされ、他方の貫通孔３８は、他方の突起２１に対応して軸方向に対して直交する周方向に延びる長孔とされている。ここで、貫通孔３７、３８の配置は、一方の半割外装体３０Ａと他方の半割外装体３０Ｂとで互いに異なっている。すなわち、一方の半割外装体３０Ａでは、貫通孔３７が装着溝３５における線状突起３４ｂに近い側（前端側）に形成され、貫通孔３８が線状突起３４ｃに近い側（後端側）に形成されている。これに対して、他方の半割外装体３０Ｂでは、貫通孔３７が装着溝３５における線状突起３４ｃに近い側（後端側）に形成され、貫通孔３８が線状突起３４ｂに近い側（前端側）に形成されていて、一方の半割外装体３０Ａとは貫通孔３７、３８の配置が前後逆転している。
【００３０】
一対の連結部３３、３３には、一対のボルト挿通孔３３ａ、３３ａが軸方向（前後方向）に間隔をあけてそれぞれ形成されている。また、これら連結部３３、３３における本体部３２の内周面に連続する内面が、ホルダー１３の組み付け時の重ね合わせ面３３ｂ、３３ｂとされている。
【００３１】
さらに、ホルダー１３には、図３に示すように、ニップル１１の嵌合筒部１５の外周面と管材１の端部内周面との間から漏れ出た流体によって、ホルダー１３内が高圧となるのを防止するための圧力逃がし部３９が形成されている。この圧力逃がし部３９は、図７及び図８に示すように、半割外装体３０Ａ、３０Ｂの線状突起３４ａ、３４ａの内面（嵌合溝３６を挟んで線状突起３４ｂと対向する面）における周方向中央に形成した圧力逃がし溝３９ａ、３９ａからなる。これら圧力逃がし溝３９ａ、３９ａによって、嵌合溝３６に嵌り込んだニップル１１のフランジ部１７と線状突起３４ａとの間に隙間が確保されて、ホルダー１３内と外部とが連通するようになっている。
【００３２】
このホルダー１３は、図９に示すように、一対の半割外装体３０Ａ、３０Ｂの内周面同士を対向させるようにして、互いの重ね合わせ面３３ｂ、３３ｂ同士を重ね合わせた状態において、一対の半割外装体３０Ａ、３０Ｂの内周面によって囲まれた空洞部の高さ寸法（重ね合わせ方向の寸法）Ｌ１が、幅寸法（重ね合わせ方向と直交する方向の寸法）Ｌ２よりも狭くなっている。これにより、ホルダー１３による弾性パッキン１２の締め付けを確実に行うことができ、止水性も高めることができるようになっている。
【００３３】
次に、上記構成の管端継手１０を、管材１の端部に取り付ける手順について説明する。まず、管材１の端部に、ニップル１１の嵌合筒部１５を内嵌して、管材１の端面に、ニップル１１のフランジ部１７を当接させることで、管材１の端部にニップル１１を装着する。
【００３４】
続いて、半割外装体３０Ａ、３０Ｂに半割パッキン材１２Ａ、１２Ａを装着する。すなわち、一方の半割外装体３０Ａにおいては、その貫通孔３７、３８に、半割パッキン材１２Ａの突起２０、２１を挿着しながら、本体部３２の装着溝３５に、半割パッキン材１２Ａを嵌め込む。他方の半割外装体３０Ｂにおいても同様に、その貫通孔３７、３８に、半割パッキン材１２Ａの突起２０、２１を挿着しながら、本体部３２の装着溝３５に、半割パッキン材１２Ａを嵌め込むようにしている。これにより、半割外装体３０Ａ、３０Ｂに対して、半割パッキン材１２Ａ、１２Ａをきっちりと位置決めした状態で装着することができる。
【００３５】
この装着状態において、図１０に示すように、半割パッキン材１２Ａ、１２Ａは、半割外装体３０Ａ、３０Ｂにおける本体部３２の内周面の周方向全長に亘って配されている。そして、半割パッキン材１２Ａ、１２Ａの軸方向（前後方向）に沿った両端部が、半割外装体３０Ａ、３０Ｂの連結部３３、３３の重ね合わせ面３３ｂ、３３ｂから所定寸法（１ｍｍ〜５ｍｍ）はみ出した状態となっている。
【００３６】
そして、半割パッキン材１２Ａ、１２Ａを装着した半割外装体３０Ａ、３０Ｂを、ニップル１１が装着されている管材１の端部に組み付ける。この組み付けに際しては、図１乃至図３に示すように、半割外装体３０Ａ、３０Ｂを、その軸方向（前後方向）の向きを同じにして、半割パッキン材１２Ａ、１２Ａの内周面同士を互いに対向させた状態で、管材１の端部を挟み込む。このとき、半割外装体３０Ａ、３０Ｂにおける互いに合わさった嵌合溝３６、３６に、ニップル１１のフランジ部１７を嵌め込むようにしている。そして、一方の半割外装体３０Ａにおける連結部３３、３３の重ね合わせ面３３ｂ、３３ｂと他方の半割外装体３０Ｂにおける連結部３３、３３の重ね合わせ面３３ｂ、３３ｂとを重ね合わせるように、これら連結部３３・・のボルト挿通孔３３ａ・・に挿通したボルト４０・・にナット４１・・を螺合して締め付ける。
【００３７】
このとき、半割パッキン材１２Ａ、１２Ａの軸方向（前後方向）に沿った両端部（半割外装体３０Ａ、３０Ｂの連結部３３、３３の重ね合わせ面３３ｂ、３３ｂからはみ出ていた部分）同士が密着して、半割パッキン材１２Ａ、１２Ａが円筒状に隙間なく連続する。
【００３８】
また、半割パッキン材１２Ａ、１２Ａの周方向に沿った端面同士が、軸方向（前後方向）にずれないように揃えられている。しかも、一方の半割外装体３０Ａに装着した半割パッキン材１２Ａと、他方の半割外装体３０Ｂに装着した半割パッキン材１２Ａの軸方向（前後方向）の向きが、上述した貫通孔３７、３８と突起２０、２１との配置関係によって、必然的に互いに逆向き状態（反転状態）となっている。従って、半割パッキン材１２Ａ、１２Ａの抜け止め用リブ２２、２２同士が軸方向（前後方向）にずれることなく、２条ネジ状に連続した状態となっている。
【００３９】
これにより、弾性パッキン１２の内周面が、管材１の端部外周面の周方向全長に亘ってしっかりと押し付けられ、２条ネジ状に連続した抜け止め用リブ２２、２２が、管材１の端部外周面に食い込むことになる。この場合、抜け止め用リブ２２、２２の２条のうちの１条が、管材１の硬質部４を押さえたとしても、残りの１条が、管材１の軟質部５に沿うように位置して（軸方向に隣接する補強芯３、３間に位置して）、管材１の軟質部５のみを押さえることになる。従って、抜け止め用リブ２２、２２を管材１の端部外周面の全周に亘って均一且つ確実に食い込ませて、十分なアンカー効果を期待することができる。
【００４０】
なお、抜け止め用リブ２２、２２を２条ネジ状とする場合には、一対の同一形状の半割パッキン材１２Ａ、１２Ａを、軸方向（前後方向）の向きを互いに同じにして、それら周方向に沿った端面同士を軸方向（前後方向）にずれないように揃えながら、軸方向（前後方向）に沿った両端部同士を重ね合わせて、内周面同士を対向させても、抜け止め用リブ２２、２２同士が軸方向（前後方向）にずれることなく螺旋状に連続する。すなわち、半割パッキン材１２Ａ、１２Ａの軸方向の向きに関係なく、これらの抜け止め用リブ２２、２２を螺旋状に連続させて、２条ネジ状とすることができる。従って、一対の同一形状の半割パッキン材１２Ａ、１２Ａを、必ずしも軸方向（前後方向）の向きを互いに逆向き状態（反転状態）として組み合わせなくても良く、半割パッキン材１２Ａ、１２Ａにおける２個の突起２０、２１の配置も前後逆転させずに済むことになる。よって、一対の半割外装体３０Ａ、３０Ｂとしては、貫通孔３７、３８の配置も含めて同一形状のものを使用することができる。一方、抜け止め用リブ２２、２２を３条ネジ状やそれ以上とする場合には、一対の同一形状の半割パッキン材１２Ａ、１２Ａを、軸方向（前後方向）の向きを互いに同じにして組み合わせると、抜け止め用リブ２２、２２同士が軸方向（前後方向）にずれて螺旋状に連続しなくなる。螺旋状に連続させるためには、上記のように半割パッキン材１２Ａ、１２Ａを、軸方向（前後方向）の向きを互いに逆向き状態（反転状態）として組み合わせる必要がある。従って、一対の半割外装体３０Ａ、３０Ｂとして、上記のような貫通孔３７、３８の配置が異なるものを使用して、半割パッキン材１２Ａ、１２Ａが必然的に互いに逆向き状態（反転状態）で組み合わされるように配慮する必要がある。この実施形態においては、抜け止め用リブ２２、２２を３条ネジ状やそれ以上とする場合であっても対応可能となるように、一対の半割外装体３０Ａ、３０Ｂとして、貫通孔３７、３８の配置が異なる異形状のものを用いるようにしているが、抜け止め用リブ２２、２２を２条ネジ状に限定する場合には、貫通孔３７、３８の配置も含めて同一形状のものを使用しても良い。
【００４１】
このようにして、半割外装体３０Ａ、３０Ｂを組み付けて、弾性パッキン１２を外側から締め付けることで、管材１の端部がニップル１１の嵌合筒部１５に圧接されて、ニップル１１が管材１の端部に固定され、管端継手１０の取り付けが完了する。
【００４２】
上記構成の管端継手１０においては、弾性パッキン１２の抜け止め用リブ２２、２２のアンカー効果によって、内外周面が平滑（フラット）な管材１でありながら、不慮の故障等によって管材１内に高い圧力がかかっても、管材１の軸方向のずれ動きや抜けを確実に防止することができ、安全性の向上を図ることができる。しかも、ホルダー１３に圧力逃がし部３９が形成してあるので、管材１内に高い圧力がかかってニップル１１の嵌合筒部１５の外周面と管材１の端部内周面との間から流体が漏れ出るようなことがあっても、その流体を圧力逃がし部３９を介して外部に排出することができる。これにより、ホルダー１３内に流体が溜まって高圧になるのを防止することができ、予期しない箇所からの流体の噴き出しをなくして、安全性の向上を図ることができる。
【００４３】
また、管端継手１０は、食品輸送用ホースとしての管材１に適用されているので、衛生管理上、洗浄や消毒といったメンテナンスが定期的に必要となる。この場合、管材１の端部から管端継手１０を取り外して分解し、洗浄や消毒を行った後、再び管材１の端部に管端継手１０を取り付けるといった作業を要する。管端継手１０の分解に際しては、ナット４１・・を緩めてボルト４０・・を取り外し、半割外装体３０Ａ、３０Ｂを管材１の端部から取り外した後、ニップル１１を管材１の端部から抜き出し、さらに半割外装体３０Ａ、３０Ｂから半割パッキン材１２Ａ、１２Ａを取り外す。これにより、管端継手１０の構成部材をバラバラに分離させることができ、洗浄や消毒といったメンテナンスを支障なく行うことができる。
【００４４】
しかも、管端継手１０の取付状態においては、半割外装体３０Ａ、３０Ｂの貫通孔３７、３８から半割パッキン材１２Ａ、１２Ａの突起２０、２１が突出していて、外部からの目視により突起２０、２１を確認することができる。従って、管端継手１０の分解後の半割外装体３０Ａ、３０Ｂの組み付けに際して、半割パッキン材１２Ａ、１２Ａの着け忘れを防止することができる。しかも、突起２１の天端面には、識別表示２３が刻設されているので、半割パッキン材１２Ａ、１２Ａの種類も確認することができる。さらに、同一形状の半割パッキン材１２Ａ、１２Ａを使用しながらも、これら半割パッキン材１２Ａ、１２Ａの着け間違いがない（抜け止め用リブ２２、２２が常に２条ネジ状となる）ことから、消耗品である半割パッキン材１２Ａ、１２Ａの製造コストを削減することができ、しかも経験の乏しい作業者であっても、管端継手１０の取り付けを確実に行うことができる。
【００４５】
この発明は、上記実施形態に限定されるものではなく、この発明の範囲内で上記実施形態に多くの修正及び変更を加え得ることは勿論である。
【００４６】
例えば、弾性パッキンとしては、半割構造に限らず、管材の端部に巻き付ける帯板状のものや、Ｃ字状のものであっても良い。また、締付部材（ホルダー）としても、半割構造に限らず、弾性パッキンの外側に巻き付ける帯板状のものや、Ｃ字状のものであっても良い。
【００４７】
また、管材の補強芯は、必ずしも１条である必要はなく、２条以上であっても良い。弾性パッキンの抜け止め用リブは、必ずしも２条ネジ状である必要はなく、３条ネジ状やそれ以上であっても良い。半割外装体の貫通孔及び半割パッキン材の突起の形状、個数、配置は、上記実施形態に限定されるものではなく、例えば各半割パッキン材に１個の突起（例えば突起２１のみ）をそれぞれ形成して、各半割外装体に１個の貫通孔（例えば貫通孔３８のみ）をそれぞれ形成しても良い。
【００４８】
さらに、締付部材（ホルダー）に、一対の管材を接続する機能を持たせるようにしても良い。すなわち、一方の管材の端部に内嵌した継手本体（ニップル）を、他方の管材の端部に内嵌したニップルに対して突き合わせた状態で、これら双方の管材の端部外周面に跨るようにして、一対の半割外装体を組み付けることで、双方の管材を接続するようにしても良い。なお、この場合、半割パッキン材は、各管材に対して２個ずつ、合計４個使用することになる。
【符号の説明】
【００４９】
１・・管材、２・・管壁、３・・補強芯、１０・・管端継手、１１・・継手本体、１２・・弾性パッキン、１２Ａ・・半割パッキン材、１３・・締付部材、２０、２１・・突起、２２・・抜け止め用リブ、３０Ａ、３０Ｂ・・半割外装体、３７、３８・・貫通孔
【図１】
0005833417.tif 000002
【図２】
0005833417.tif 000003
【図３】
0005833417.tif 000004
【図４】
0005833417.tif 000005
【図５】
0005833417.tif 000006
【図６】
0005833417.tif 000007
【図７】
0005833417.tif 000008
【図８】
0005833417.tif 000009
【図９】
0005833417.tif 000010
【図１０】
0005833417.tif 000011